(57)【要約】【課題】  簡単な形状で握り部が使い易く舌の中央部（溝部）の苔が容易に除去でき苔除去具の使用後の洗浄及び熱湯での細菌防除も簡易に出来る口腔内の舌苔除去具の開発。【解決手段】高さ（約７ミリ）×厚さ（約２ミリ）の板状の樹脂材の舌苔除去片（４１）と握り部が傾斜（θ≒１５度）した平らな握り部（２３）をもって一体に成形の舌苔除去具。なお、舌苔除去片の高さの中程の外側に突起部（φｄ）を設け舌上の中央部の窪みの「苔かき用」の装着ピース（４２）を舌苔除去片（４１）に装着して構成する。「装着ピース」は、断面がコ字した形状をし、そと空き部を舌苔除去片（４１）にはさみ、長い方の端面は舌の中央上溝にそう様に緩やか凸状（半径状）とし、短い方の端面には、高さの中程に苔除去片（４１）のφｄ突起部（４６）と嵌合の孔（４４）で両者を結合させる。【選択図】図１０
2008161633.tif 000002
【特許請求の範囲】
【請求項１】
長方形の断面を持つ帯板材の隅角にて人の舌の苔を取り除くための舌苔除去片（１１）の両端に握り部（１３）を持ち、人の両手にて舌の苔をかき取る舌の苔除去具に於いて、  イ）舌苔除去片は、長方形の断面（≒幅７ミリ×厚１．５ミリ）を有し、  ロ）舌苔除去片は、夾角θ（≒３５度）をなし、成形材は錆びない鋼材を使用し、  ハ）舌苔除去片の両端には、くぼみを持つ握り部（１３）と一体に成形してなる。    以上より構成することを特徴とする舌苔除去具（１０）。
【請求項２】
長方形の断面を持つ帯板材の隅角で人の舌の苔を取り除くための舌苔除去片（２１）の両端に握り部（２３）を持ち、舌の苔をかき取る舌の苔除去具に於いて、  イ）舌苔除去片（２１）に対して握り部（２３）が傾斜の角度α（約１５度）をもって構成され、  ロ）握り部に孔（２４）と滑り止め（１５）を付設している。    以上より構成されたことを特徴とする舌苔除去具（２０）である。
【請求項３】
長方形の断面を持つ帯板材の隅角にて人の舌の苔を取り除くための舌苔除去片（３１）の両端に握り部（３３）を持ち、人の両手にて舌の苔をかき取る舌の苔除去具に於いて、  イ）舌苔除去片は、特定の長方形の断面（≒幅７ミリ×厚１．５ミリ）を持ち、  ロ）苔除去片には、夾角θ（≒３５度）をもたせ、成形材は錆びない鋼材を使用し、  ハ）舌苔除去片（３１）の片側（一方）の中央位置部に突起部の半径Ｒ１を持つ、  ニ）両者（符号３１と３３）を仲介材（ろう付けにて）を介して一体化し、    以上より構成することを特徴とする舌苔除去具（３０）。
【請求項４】
長方形の断面を持つ帯板材の隅角にて人の舌の苔を取り除くための舌苔除去片（４１）の両端に握り部（４３）を持ち、人の両手にて舌の苔をかき取る舌の苔除去具に於いて、  イ）舌苔除去用の帯板の外側にφｄ突起部（４６）を持つ舌苔除去片（４１）に、  ロ）コ字型で内側寸法の大きさ（Ｔ）を持ち、曲げ部は円弧状の半径Ｒに（プレスにて）製作され、水平方向の両側に孔（４４）を持つ装着ピース（４２）に、  ハ）舌苔除去片（４１）に装着ピース（４２）を組み合わせ（嵌め合わせ）その後に、装着ピース（４２）の孔（４４）に舌苔除去片（４１）のφｄ突起部（４６）を組み合わせ（挿入）して両者を締結・固定化する。    以上より構成することを特徴とする舌苔除去具（４０）。
【請求項５】
長方形の断面を持つ帯板材の隅角にて人の舌の苔を取り除くための舌苔除去片（５１）の両端に握り部（５３）を持ち、両手にて舌の苔をかき取る舌の苔除去具に於いて、  イ）舌苔除去用の帯板の内側にφｄ突起部（５６）を持つ舌苔除去片（５１）に、  ロ）片側にＲ３の突起部（５７）を設け、反対側（他方）にＲ４の突起部（６７）を設けた装着ピース（５２）で水平方向側に孔（５４）φＤに舌苔除去片のφｄ突起部を嵌め合わせて締結・固定する。    以上より構成することを特徴とする舌苔除去具（５０）。
【請求項６】
幅（約２５ミリ）×長さ（約４０ミリ）×厚さ（約５ミリ）の大きさの平板の握り部（６３）を持ち、片手にて舌の苔をかき取る舌の苔除去具に於いて、  イ）平板の握り部（６３）の端部の先端に突起の三角（断面）部（６１ｂ）を持ち、  ロ）握り部の裏側は、凹部（６５）に成形され孔（６４）を持つ、  ハ）プラスチック材にて成形された。    以上を形成することを特徴とする舌苔除去具（６０）。
【発明の詳細な説明】
【技術分野】
【０００１】  本発明は、口腔内の舌の苔を取り除き虫歯、歯周病等を予防する舌苔除去具である。
【背景技術】
【０００２】  本発明に関連するものとして、図１５に示す様なものがある。（例えば、特許文献１）これは、板（２）状のステンレス（ＳＵＳ材）もしくは合成樹脂板（材）等で逆Ｕ字に曲げた端部に木材を使用の握り部（３）をもうけたものである。また、類似のものとして図２２に示す様な形態のものがある。（例えば、（ａ）実録文献１、（ｂ）実録文献２、（ｃ）実録文献３、（ｄ）市販品などがある）  なお、（ａ）実録文献１は、板材を「カギッコ」の形状にまげ握り部（３）を真直ぐにしたものである  （ｂ）実録文献２は、板材を逆Ｕ字形してＴ字形の握り部（３）をＵ字形と結合したもの。（ｃ）平らな板材のものを図の様に曲げて片手にて使用する。（ｄ）バー材のものを逆Ｕ字形にしてその両端部にて「たばね」たところで木材にて握り部（３）を配設している。【０００３】  これらは、断面形状が厚さ（約１ミリ）×高さ（約７ミリ）をもつステンレス材または曲げ弾性率の大きい厚さ（約２ミリ）×高さ（約８ミリ）の樹脂材の射出成形にて帯板状のものを逆Ｕ字状に曲げて片手又は両手にて使用する。（使い方；図９、図２１参照）【０００４】
【特許文献１】特開平０９−５１８９８（図２参考）／図１５参照図２２に於いて、（ａ）［実録文献１］  実用新案登録第３０６９５４１号（図１参考）（ｂ）［実録文献２］  実用新案登録第３００３３５５号（図８／従来品記載）（ｃ）［実録文献３］  実用新案登録第３０６１１３４号（図３参考）（ｄ）［非特許文献１］市販品（スケッチ品）
【発明の開示】
【発明が解決しょうとする課題】
【０００５】  従来の図１５に示すものは、握り部（３）が木材のため消毒時の煮沸（＞８０度）が出来なく殺菌除去にて不衛生であり、また握り部がストレートの為に滑りやすく、且つ舌苔除去片（２）と握り部が古くなると木材が腐り抜け分離する。
【０００６】  図２２（ａ）は、握り部の形状が舌苔除去時の操作時に不適合のために使いずらく、１回にて舌の苔除去が出来ない形状である。（以下、図２２の（ｂ）から（ｄ）説明）
【０００７】  （ｂ）は、持っ手が丸径（３）で１カ所であり喉部の奥行き使用時で不安定の為に操作性が悪く数回の動作を必要とし、１回にて苔の除去ができなく、しかも洗浄時に隅々部の洗浄性が悪いので衛生的でない。
【０００８】  （ｃ）は、平板からの折り曲げにて、片手にて舌苔を除去するものであり、持ちにくく折り曲げ時の反撥作用にて戻りやすく危険である。またプラスチック（樹脂材）使用は、口腔内にて破損すれば非常に危険である。
【０００９】  （ｄ）は、握り部（３）が丸径の為に保持しにくいため安定性が悪く、一回にて苔除去が出来なく数回の動作を要し、治療者に身体的・精神的に負担をかけて好ましくない。  また、舌苔除去具（２）は、煮沸（温度＞８０度）にて消毒をする時に握り部が木材のの為に腐り易く特に舌苔除去片（ステンレス材）と握り部の接合部が不衛生である。
【課題を解決するための手段】
【００１０】  本発明は、以上の諸々の事を想定して上記の課題を達成するために成したものである。口腔内の舌の苔除去を行う際には、狭い口内でも邪魔とならず、舌の奥側、側方あるいは裏側と言った清掃の行い難い部分まで舌を充分に出さずに品良く簡単確実に、清掃が行えると共に、清掃具自体の洗浄も極めて簡単に行うことができ安全で衛生的な舌清掃のできる舌苔除去具を提供し、口腔内のバクテリア・カビ類を除去し、口内を清潔に保ち虫歯や歯周病の予防及び介護用に役立てることを目的とするものである。  これらの事を実現するために順をおって説明していく。
【００１１】  まず、図１〜図３は、本発明の第１実施例であり、外観を図３に示した。両手にて舌の苔除去を行う方が、片手にて行うより総合的に実際上よいのでこのような形状になっている。図１の使用例図（治療態様）を図９にて示した。  即ち、舌の苔除去を行うには、矩形断面の厚さ（約１ミリ）×高さ（約７ミリ）の平板のステンレス材（ＪＩＳ規格，ＳＵＳ材）を使用している。舌苔除去具（１０）を使用する時はスプーンの形状した凹み部に親指をおいて両手にて口奥から手前に苔除去具を引いて苔を除去する。
【００１２】尚、図１の苔除去片（１１）の夾角（θ）と逆Ｕ字型にした時の苔除去片（１１）の曲げの半径（Ｒ）も最初からこの様に成形しているために両手にての力の開閉での若干の夾角の変化は容易にできるし、平板からの曲げ（Ｒ）によることではないために破損などの心配はない。
【００１３】  次に第２実施例の図４（曲げた状態）から図５までのものについて説明する。伸ばした（展開したものから）状態のものから図４の様に曲げて使うものでプラスチック（強靱で弾性を持つ成形性の樹脂）材を使用する。これは樹脂材を使用し、製作容易形状にして多量の生産化を計り大衆向け用にした。  尚、舌苔除去具（２０）の舌苔除去片（２１）の断面形状は、厚さ（約２ミリ）×高さ（約８ミリ）の平板で握り部（２３）の厚さも同じ（約２ミリ）である。
【００１４】且つ、握り部（２３）は、舌苔除去片（２１）の（本体）に対して角度（α）を持った形状になって舌の苔除去時の作業性を考慮している。また舌苔除去具（２０）から作業時の手が滑るのを防止するために滑り止め（２５）を設けている。  なお、本品の舌苔除去片を洗浄・消毒する時に容易化の為に、ものを吊るすために孔（２４）を設けている。
【００１５】  また、図６〜図７に示すは、第３実施例の舌苔除具（３０）を示す。これは、舌苔除去片（３１）と握り部（３３）とから構成され、両者を「ろう付」にて結合している。尚、舌苔除去片（３１）の中央（程）には図６、図８に示す様に舌の上側の中央溝部の苔除去の為に上部舌当接部（３７）に突起部の半径（Ｒ１）を設けている。
【００１６】  第３実施例と第１実施例との相違点は、第１実施例は一体化にてなっているが第３実施例は、２分割の部品から構成されているところが異なっている。外観は若干違っているが本第３実施例は、分割化されている為に製作容易・製造コストも安価できる。  勿論、舌苔除去片（３１）は、最初から図６の様に曲げた状態で成形され、握り部（３３）で結合され、その後にメッキ処理をしてさび防め、外観的にも商品性を高めている。
【００１７】  前記した、第１実施例〜第３実施例は、両手にて治療態様を行うもので、舌苔除去具の治療態様の使用例を図９に参考に示した。
【００１８】  次に述べる図１０〜図１３は、本発明の第４実施例で概要（斜視図）を図１３に示す。図１０〜図１３に示す舌苔除去用の装着ピース（４２）は、プラスチック又はビニール材にて製作し、断面が「コ字体」で舌苔除去片（４１）の帯体を「またいで嵌め合わせ」た後に帯体のφｄ突起部（４６）を装着ピース（４２）の嵌合の孔（４４）にて締結している。なお、装着ピース（４２）の高さ側の中幅（程）の嵌合の孔を図例では２ケ設けいるが、２ケに限定なく４ケにしてもよい。
【００１９】  図１５は、本発明の第５実施例で舌苔除去片（５１）の帯体のφｄ突起部（５６）を装着ピース（５２）の嵌合の孔（５４）φＤにて締結したものである。この図例では、結合時のφｄ突起部（５６）は、片面のみであるから両者の結合の為に３ケ使用している。  なお、本発明の第４実施例及び第５実施例の治療態様の使用例は、図９と同じである。
【００２０】  最後に、舌苔除去具を片手で使用の本発明の第６実施例を図１６〜図２０で示した。幅が約２５ミリ、長さが約４０ミリで厚さが約５ミリ程度の平板で片方の端部に三角形状の突起（６１ｂ）をしたものでプラスチック材にて成形し、その治療の態様時のその使用法を図２１に示した。
【発明の効果】
【００２１】  図１の本発明の第１実施例は、舌苔除去片（１１）の断面が高さ約７ミリ×厚さ約１ミリで、ステンレス材を使用したシンプルな形状で苔除去片の夾角（θ≒３５度）は、最初から成形され、両持ちの握り部（１３）はスプーンの様にくぼんで凹面（３３）状になっているので、  イ）シンプルな形状で舌の苔除去時の方向性を選ばず治療時の操作性が安定している。  ロ）ステンレス鋼材（ＪＩＳ規格ＳＵＳ３０４）を使用し、苔除去片の夾角（θ≒３５度）に対し、曲げ半径Ｒである為にバネ性を有し人の口の大きさに対応性が良い。  ハ）形状がシンプルで治療後の洗浄・消毒が簡単でバイ菌などの除去も容易である。
【００２２】  図４の本発明の第２実施例は真っ直ぐ（展開品）を使う時に曲げた時の形状を示した。舌苔除去片（２１）に対し握り部（２３）は、角度約１５度をもって成形されている。  且つ、握り部は、平らになっていてほぼ中央に孔（２４）があいている。裏側にある突起は、作業時の手の滑り止め（２５）である。  一方、舌苔除去片（２１）の断面は、高さ約８ミリ、厚さ約２ミリで真っ直ぐにした形状（図４の夾角（θ）を１８０度にしたもの）で熱硬化性プラスチック（樹脂名；アイオノマーを使用して）材で成形する。使用時に両手で握り部（２３）を舌苔除去片（２１）を曲げ夾角θ（≒３５度）にして使用する。なお図４は、その時の正面図（使う時は、上面図になる）を示したものである。  イ）形状がシンプルの為に、プラスチックにて成形時には製造が容易・安価である。  ロ）両手での握り部（２３）は舌苔除去片（２１）に対し角度α（≒１５度）をもっている為に狭い口腔内での舌の苔除去時の作業性が楽で治療者にも気おいが少ない。  ハ）握り部の中央の孔（２４）は、作業者の汗を逃がす役目と滑り止めの役目をする。  ニ）コンパクトで変形性に富むため、旅行などでの携帯に便利である。
【００２３】  図６の本発明の第３実施例は、舌苔除去片（３１）と握り部（３３）の部品をろう付けにて結合したものである。舌苔除去片（３１）は、ステンレスの平鋼帯で断面（約１ミリ×約７ミリ）を持ち、一方、握り部は食事に使うスープンのすくう側の凹部の形状を呈しておる部分を舌苔除去片（３１）に、ろう付けしたものである。  なお、握り部には、長孔（３４）をあけ、（長孔）プレス時の加工剪断部を９０度折り曲げしたところを滑り止め（３５）にしている。  イ）図１の製造加工時（材料とりで不良部分の廃却部が多い）は、加工ロスが多く、金型の型費も高くなるが、第３実施例は製造が容易・低価となり製造原価が低価。  ロ）握り部（３３）の滑り止め（３５）は、治療時の手の滑り止めの役目をする。
【００２４】  図１０の本発明の第４実施例の装着の舌苔除去片（４２）の外観を図１３に示す。図示なき舌苔除去片（４２）と握り部（４３）は、熱可塑性エンプラ（記号ＰＡ材）の帯状の舌苔除去片と握り部を一体にした舌苔除去具であり、（図は省略しているがベースは図４で一部の追加品）装着ピース（４２）を舌苔除去片（４１）にまたいで嵌め合わせしその後に舌苔除去片（４１）の突起のφｄ突起部（４６）を装着ピース（４２）の孔φＤに挿入して両者を締結したもので、装着ピースはステンレスにてプレス・製作する。  舌苔除去片（４１）は、図１０の如きＲに曲げた側面にＲ２（４７）の半径をもつ形状にして、このＲ２部にて上舌の中央部の溝部の苔の除去を行う。  イ）図４に示す通常の使い方をして上舌の中央部の凹みの溝部の舌苔の除去が出来ない時に上舌の苔面を装着ピース（４２）のＲ２の形状を使用して除去する。  ロ）装着ピース（４２）の取り付け孔径φＤ（４４）に舌苔除去片（４１）のφｄ突起部（４６）を嵌合して両者を固定及び脱着するのは簡単・容易である。
【００２５】  図１４は、本発明の第５実施例でステンレス材にて製作された舌苔除去片（５１）に装着の装着ピース（５２）を示す。  本発明の使い方・使用法は、図１０の第４実施例のものと類似し、舌苔除去片（５１）に装着の装着ピース（５２）がステンレス材の平板鋼での対応で上舌の中央の溝部の苔除去に使う場合は、Ｒ３（５７）の形状を使い、上舌の両側部の苔除去時は反対側のＲ４（６７）を使う。装着ピース（５２）の高さの幅の中央の複数の孔（５４）の径φＤに舌苔除去片（５１）のφｄ突起部（５６）を嵌め合わせて、両者を締結し固定して使用する。
【００２６】  この使い方は、まず上側のＲ４側を先に使い、そのあとで下側のＲ３を使って上舌の表面の苔そぎに使って治療処置は終わる。  尚、図１０の第４実施例に使用する舌苔除去片（４１）とは、φｄ突起部（４６）の向きが逆（反対側）になっている。  イ）形状がシンプルで、装着ピース（５２）の脱着・装着が容易である。  ロ）使用後の掃除が容易・簡単で衛生的である。  ハ）製作時の製造費（型費・加工費少なく）が安くできる。
【００２７】  図１６は、本発明の第６実施例でプラスチックにて製作され図２０の斜視図に示す様な外観を表す幅約２５ミリ×長さ約４０ミリ厚さ約５ミリの苔除去具（６０）である。  本発明の使い方・使用の方法は、図２１に示す様に今までの実施例１〜実施例５とは異なり片手にて舌の苔除去を行うものである。  舌苔除去具（６０）の平板の握り都（６３）の端部の先端にある突起の三角（断面）部（６１ｂ）にて舌の苔の除去を行うものである。  イ）コンパクトのあるために携帯に便利である。  ロ）携帯の手鏡を使用して、独りでに舌の苔除去ができる。  ハ）シンプルな形状のため製作が容易・簡単である。
【発明を実施するための最良の形態】
【００２８】  以下、本発明の実施の形態を実施例１〜実施例６に基づいて説明する。【００２９】  実施例１の図１に於いて、１１は、厚み約１ミリ×高さ約７の断面をもつ帯状したステンレス（ＪＩＳ規格ＳＵＳ）鋼材で製作される舌苔除去片である。尚、苔除去部の隅角の半径（ｒ）は、０．２〜０．３ミリの面取りを両替側にしてある。１３は、食事で使用時のスプーンと同様の凹部をした握り部で人の親指がすっぽり納まる程の大きさ（約３０ミリ×深さ１０ミリ）を呈しており舌苔除去片（１１）と連結（一体化）されている。  また舌苔除去片（１１）の夾角θ（≒３５度）は、型にて折曲げて成形されている。握り部にある孔（１４）は、消毒・乾燥する時に紐で吊るす時に用いる。【００３０】  実施例２の図４の２１は、厚み約２ミリ×高さ約８の断面をもつ帯状したプラスチックの熱可塑性樹脂（例，樹脂名；アイオノマー）にて製作される舌苔除去片である。  握り部（２３）は、平板（幅約２０ミリ×長さ約３５ミリ−厚み約２ミリ）で、舌苔除去片（２１）とはある角度α（≒１５度）をもって一体に成形されている。  なお、握り部の下側に（三角をした）突起の手の滑る止め（２５）が付設されている。【００３１】  実施例３の図６に於いて、３１は、厚み約１ミリ×高さ約７の断面をもつ帯状したステンレス（ＪＩＳ規格ＳＵＳ）鋼材で製作される舌苔除去片である。  ３３は、食事で使用時のスプーンと同様の凹部をした握り部で、人の親指がすっぽり納まる程の大きさ（約３０ミリ×深さ１０ミリ）を呈しており舌苔除去片（３１）とは「ろう付け」にて結合され、３７は、図８に示す突起部の半径Ｒ１を持っている。  なお、握り部には舌苔除去片を差し込み込みの為の切り込み（幅１ミリ）がある。また舌苔除去片（３１）の夾角θ（≒３５度）は、型にて折曲げて成形されている。握り部にある孔（３４）は、消毒・乾燥する時に紐で吊るす時に用いる。  ３５は、舌の苔除去の作業時の握り部の手の滑り止めで、プレス孔加工時に折り曲げにて成形されている。  即ち、実施例１（図１）の簡易タイプの代用（製造原価の安い）で大衆用として使う。【００３２】  実施例４の図１０で、４２は、厚み約１ミリ×高さ約８のコ字した形状のステンレス（ＪＩＳ規格ＳＵＳ）材で製作され、舌苔除去片（４１）に装着の装着ピースである  なお、図１３で示す様に、水平の両側には装着ピース（４２）を舌苔除去片（４１）に取り付けの孔φＤをもっている。折り曲げた内幅（Ｔ）は、舌苔除去片の厚さｔ２（≒２ミリ）に勘合する様になっている。  且つ、図４に示す様なプラスチックで製作の舌苔除去片（２１）の曲げ半径（Ｒ）の帯状の外側にφｄ突起部（４６）を２ケ持って（図１０〜図１１の仮想線にて示し）おり、このφｄ突起部を前記の孔φＤに挿入して両者を締結・固定する。【００３３】  実施例５の図１４に於いて、５２は、厚み約１ミリ×高さ約８の平板のものでステンレス（ＪＩＳ規格ＳＵＳ）鋼材で製作された装着ピースである。  平板の上下の両側には、舌の苔除去をするために、図の如き円弧状のＲ３とＲ４の円弧を持って形成されている。  これも実施例４と同様に舌苔除去片（５１）は帯状の内側にφｄの突起部（５６）をもつのが実施例４との違いで、除去片の曲げ部の内側の半径Ｒは、約２０ミリである。  従って、舌苔除去具（５０）は、舌苔除去片（５１）のφｄ突起部を装着ピース（５２）の孔φＤに嵌合せることで両者を締結する。  なお、実施例４及び実施例５の舌苔除去時の使い方は、図９の要領で行う。【００３４】  図１６〜図２０に示す実施例６の握り部（６３）は、幅約２５ミリ×厚さ約４ミリ（なお、爪部は約７ミリ）×全長約４０ミリの可塑性樹脂材を使用して成形した舌苔除去具（６０）である。  舌の苔除去部（６１）は、突起の三角状（６１ｂ）をしている。また、握り部の裏側は握り易くするために凹部（６５）に成形されている。  なお、孔（６４）は消毒・洗浄後の乾燥をする時に紐にて吊るす時に使用する。舌の苔除去時の要領は、図２１に示した様に口腔内での作業は口中から手前（外側）へ引き出す様にして行う。
【図面の簡単な説明】
【００３５】
【図１】本発明の第１実施例の舌苔除去具（１０）の正面図
【図２】本発明の第１実施例の図１の左側面図
【図３】本発明の第１実施例の図１の斜視図
【図４】本発明の第２実施例の舌苔除去具（２０）の正面図
【図５】本発明の第２実施例の図４の右側面図（Ａ視）
【図６】本発明の第３実施例の舌苔除去具（３０）の正面図
【図７】本発明の第３実施例の図４の右側面図（Ｂ視）
【図８】本発明の第３実施例の図６のＣ視図／（図は展開図）
【図９】本発明の第１実施例の舌苔除去具（１０）参考使用例図（治療態様）
【図１０】本発明の第４実施例の舌苔除去具（４０）の発明部の正面／部分図
【図１１】本発明の第４実施例の図１０のＤ視図
【図１２】本発明の第４実施例の図１１のＺ−Ｚ断面図
【図１３】本発明の第４実施例の図１０の装着ピース（４２）の斜視図
【図１４】本発明の第５実施例で装着ピース（５２）を（説明の為）展開した図
【図１５】従来の両手にて使用の舌苔除去具（例）
【図１６】本発明の第６実施例の舌苔除去具（６０）の表側の正面図
【図１７】本発明の第６実施例の図１６図の裏側の背面図
【図１８】本発明の第６実施例の図１６図の底面図（一部切欠き断面）
【図１９】本発明の第６実施例の図１６図の左側面図
【図２０】本発明の第６実施例で図１６図の舌苔除去具（６０）の斜視図
【図２１】本発明の第６実施例の参考使用例図（治療態様）
【図２２】従来の片手にて使用の舌苔除去具例；（ａ）、（ｂ）、（ｃ）、（ｄ）
【符号の説明】
【００３６】    １０、２０、３０、４０、５０、６０  舌苔除去具    １１、２１、３１、４１、５１、６１  舌苔除去片（または，部）        １１ａ、２１ａ、３１ａ、４１ａ、５１ａ、６１ａ  上部舌当接部        １１ｂ、２１ｂ、３１ｂ、４１ｂ、５１ｂ、６１ｂ  舌当接部    ４２、５２  装着ピース    １３、２３、３３、６３  握り部（または，柄部、把持杆）    １４、２４、３４、４４、５４、６４  孔    １５、２５、３５、６５  滑り止め    ４６、５６  φｄ突起部    ３７  Ｒ１の突起部  ４７  Ｒ２の突起部        ５７  Ｒ３の突起部  ６７  Ｒ４の突起部
【００３７】    １００  （人の）舌    １０１  手    １０２  人差し指    １０３  顔
【００３８】    ｔ１  （ステンレス材の）除去片（又は，部）の厚さ    ｔ２  （プラスチック材の）除去片（又は，部）の厚さ    Ｗ  （舌苔除去具の）幅    Ｔ  （装着ピースの）内側寸法（図１２）    Ｒ  （除去片の曲げ部の）半径    Ｒ１  （苔除去片の突起部の）半径    Ｒ２  （装着ピースの突起部の）半径    Ｒ３、Ｒ４、Ｒ５  （装着ピースの突起部の）半径    ｒ  （苔除去部の隅角の）半径    θ  （苔除去片の）夾角    α  （傾斜の）角度
【図１】
2008161633.tif 000003
【図２】
2008161633.tif 000004
【図３】
2008161633.tif 000005
【図４】
2008161633.tif 000006
【図５】
2008161633.tif 000007
【図６】
2008161633.tif 000008
【図７】
2008161633.tif 000009
【図９】
2008161633.tif 000010
【図２１】
2008161633.tif 000011
【図８】
2008161633.tif 000012
【図１０】
2008161633.tif 000013
【図１１】
2008161633.tif 000014
【図１２】
2008161633.tif 000015
【図１３】
2008161633.tif 000016
【図１４】
2008161633.tif 000017
【図１６】
2008161633.tif 000018
【図１７】
2008161633.tif 000019
【図１８】
2008161633.tif 000020
【図１９】
2008161633.tif 000021
【図２０】
2008161633.tif 000022
【図１５】
2008161633.tif 000023
【図２２】
2008161633.tif 000024